(57)【特許請求の範囲】
【請求項１】
液晶表示面部の周囲に、ケース外側縁部を有する液晶表示装置と、複数の透光性指標部が設けられた文字板部を有するアナログメータ装置とが隣接配置されて、前記液晶表示装置又はアナログメータ装置の裏面側から、前記ケース外側縁部の外側で前記文字板部の後方に設けられたバックライト光源によって照明されてなるメータ照明構造であって、
前記ケース外側縁部には、前記バックライト光源の照明光が透過して前記文字板部を照明するように角部を切り欠いた照明光通過部を形成して、前記透光性指標部の外縁部を結ぶ仮想ラインに近接配置されると共に、該照明光通過部の前記切り欠きによって残存する部分が連結されてなる連設枠部の上に、前記文字板の不透光部分が、重複するように組み合わせられていることを特徴とするメータ照明構造。
【請求項２】
前記文字板部には、照明光を拡散させる凹凸形状が形成されていることを特徴とする請求項１記載のメータ照明構造。
【請求項３】
前記文字板部には、透過スリットからなる複数の目盛を周方向に沿って、均等に形成した目盛部が設けられると共に、前記切り欠きが連続する照明光通過部を、該目盛部の延設方向に沿って設けることを特徴とする請求項１又は２記載のメータ照明構造。
【発明の詳細な説明】
【技術分野】
【０００１】
本発明は、主に、自動車等、車両に用いられるメータ照明構造で、特に、液晶表示装置に隣接してアナログメータが配置されるコンビネーションメータ等に用いて好適なメータ照明構造に関するものである。
【背景技術】
【０００２】
従来、自動車のメータ照明構造として、図１０に示すように、スピードメータ及びタコメータ等の単数又は複数のアナログメータ２…が、液晶表示装置３と組み合わせられて、各種車両情報が表示される表示面を構成してなるコンビネーションメータ１が知られている（例えば、特許文献１等参照）。
【０００３】
まず、構成から説明すると、この従来のメータ照明構造が適用されるコンビネーションメータ１では、車室内運転席前方に位置するインストルメントパネルに設けられた略箱形のメータハウジング５に、車室内側に凹設される文字板開口部５ａが、開口形成されている。
【０００４】
この文字板開口部５ａ内には、板状の前記表示面を構成する表示面部材４が、装着されている。
【０００５】
また、この表示面部材４には、車幅方向下方略中央部に、液晶用開口部４ａが開口形成されていて、車室内方向から視認可能となるように、液晶表示面部３ａを露出させた液晶表示装置３が設けられている。
【０００６】
このコンビネーションメータ１の液晶表示装置３の液晶表示面部３ａは、長手方向が車幅方向に沿う長方形形状を呈すると共に、この液晶表示装置３が設けられた表示面部材４の上部には、タコメータ等のアナログメータ２，２の文字板部２ａ，２ａが、左，右に一対設けられていて、対向する外側縁部２ｃ，２ｃ間が、一定寸法Ｗ１離間されている。
【０００７】
また、この表示面部材４の液晶表示面部３ａ及び文字板部２ａ，２ａの裏面側には、共通の導光部材６が配置されている。
【０００８】
この導光部材６は、透明部材によって内部に照明光を透過可能となるように構成されていると共に、前記液晶表示装置３に内蔵されたバックライトＬＥＤ光源３ｂ…からの照明光と、前記アナログメータ２のバックライト光源２ｂ…からの照明光とを調整する三角溝部６ａが、裏面側から凹設形成されている。
【０００９】
次に、この従来のメータ照明構造の作用効果について説明する。
【００１０】
前記文字板部２ａの裏面側に配設された導光部材６を介して、側方から導かれた前記アナログメータ２のバックライト光源２ｂ…からの照明光は、前記三角溝部６ａによって、前記メータハウジング５底面部方向へ反射される。
【００１１】
このため、前記液晶表示装置３及びアナログメータ２，２のバックライト照明を行う導光部材６を一体となるように構成しても、各液晶表示装置３及びアナログメータ２，２の光量及び照明形状を所望に近いものとすることが出来る。
【先行技術文献】
【特許文献】
【００１２】
【特許文献１】特開２００５−２４５２６号公報（明細書第００２０段落乃至第０１１１段落、図１）
【発明の概要】
【発明が解決しようとする課題】
【００１３】
このように構成された従来のメータ照明構造では、図中二点鎖線で示すように、前記液晶表示装置３を、前記アナログメータ２，２間に配置すると共に、各アナログメータ２，２の対向する外側縁部２ｃ，２ｃを、液晶表示装置３のケース左，右外側縁部に重複させることにより、アナログメータ２，２の文字板部２ａ，２ａの表示可能面積を拡大させる構成が考えられる。
【００１４】
しかしながら、液晶表示装置３のケース左，右外側縁部が、所定幅Ｗ２を有しているので、この重複する部分では、左，右外側縁部の陰となり、アナログメータ２，２の外側縁部２ｃ，２ｃに、前記バックライト光源２ｂ，２ｂの照明光が到達せず、周囲との光量差によって照明ムラが発生して、外観品質を低下させてしまう虞があった。
【００１５】
そこで、この発明は、均等なバックライト照明を得て外観品質を向上させると共に、レイアウトの自由度を増大させて、表示面を有効に活用出来るメータ照明構造を提供することを課題としている。
【課題を解決するための手段】
【００１６】
上記目的を達成するために、請求項１に記載された発明は、液晶表示面部の周囲に、ケース外側縁部を有する液晶表示装置と、複数の透光性指標部が設けられた文字板部を有するアナログメータ装置とが隣接配置されて、前記液晶表示装置又はアナログメータ装置の裏面側から、前記ケース外側縁部の外側で前記文字板部の後方に設けられたバックライト光源によって照明されてなるメータ照明構造であって、前記ケース外側縁部には、前記バックライト光源の照明光が透過して前記文字板部を照明するように角部を切り欠いた照明光通過部を形成して、前記透光性指標部の外縁部を結ぶ仮想ラインに近接配置されると共に、該照明光通過部の前記切り欠きによって残存する部分が連結されてなる連設枠部の上に、前記文字板の不透光部分が、重複するように組み合わせられているメータ照明構造を特徴としている。
【００１７】
また、請求項２に記載されたものは、前記文字板部には、照明光を拡散させる凹凸形状が形成されている請求項１記載のメータ照明構造を特徴としている。
【００１８】
更に、請求項３に記載されたものは、前記文字板部には、透過スリットからなる複数の
目盛を周方向に沿って、均等に形成した目盛部が設けられると共に、前記切り欠きが連続
する照明光通過部を、該目盛部の延設方向に沿って設ける請求項１又は２記載のメータ照
明構造を特徴としている。
【発明の効果】
【００１９】
このように構成された請求項１記載のものは、前記アナログメータ装置の文字板部の後方に、裏面側からバックライトを行う照明光が、前記液晶表示装置のケース外側縁部のうち、角部に向けて照射されても、該角部に切り欠き形状を呈して形成された照明光通過部を、該照明光が通過する。
【００２０】
このため、前記ケース外側縁部の角部に重複されている部分、例えば、目盛部等が、該照明光通過部を通過した前記バックライト光源による照明光によって、明るくバックライト照明されて、周囲との照明ムラを緩和させることができる。
【００２１】
また、前記連設枠部によって、前記バックライト光源からの照明光が遮られても、前記文字板部の不透光部分に、陰が重複して、照明ムラを発生させない。
【００２２】
このため、前記メータ装置の表示部内では、前記ケース外側縁部に形成された連設枠部の上から、前記不透光部分である例えば、目盛部の外周部を、重ねるように、前記透光性指標部の外縁部を結ぶ仮想ラインを近接配置しても外観品質を良好に保て、該表示部の表示面積が、効率的に利用出来る。
【００２３】
従って、前記アナログメータ装置の表示に用いられる文字板部と、液晶表示装置の表示に用いられる液晶表示面部とを近接させて、該メータ装置の限られた表示面内で、該文字板部の表示可能面積を拡大することが出来る。
【００２４】
よって、表示面積を有効に利用出来ると共に、レイアウトの自由度を拡大しつつ、均等なバックライト照明により、外観品質を向上させることが出来る。
【００２５】
また、請求項２に記載されたものは、前記文字板部に形成された凹凸形状が、照明光を拡散させる。
【００２６】
しかも、前記照明光通過部によって緩和された照明ムラを更に、拡散により減少させることが出来、目立ちやすい文字板部の外観品質を良好なものとすることが出来る。
【００２７】
更に、請求項３に記載されたものは、前記文字板部に形成された目盛部の延設方向に沿って、前記照明光通過部が連続されて形成されている。
【００２８】
このため、均等に形成され目盛部の複数の目盛が、均一な光量で、バックライト照明されて、照明ムラが発生することなく、良好な外観品質を得られる。
【図面の簡単な説明】
【００２９】
【図１】この発明の実施の形態のメータ照明構造が適用されるコンビネーションメータのレイアウトの一例を示す正面図である。
【図２】この発明の実施の形態のメータ照明構造を用いたコンビネーションメータの内部の構成を説明する図１中Ａ−Ａ線に沿った位置での断面図である。
【図３】この発明の実施の形態のメータ照明構造で、図２中Ｂ部の拡大断面図である。
【図４】この発明の実施の形態のメータ照明構造で、図１中Ｃ部の拡大断面図である。
【図５】この発明の実施の形態の実施例１のメータ照明構造で、図４中Ｄ−Ｄ線に沿った位置に対応する位置での拡大断面図である。
【図６】この発明の実施の形態のメータ照明構造を用いたコンビネーションメータの配置を説明する車両の側面図と、車両の車室内正面図である。
【図７】この発明の実施の形態のメータ照明構造で、液晶表示装置のケース部材の構成を説明する左側面図である。
【図８】この発明の実施の形態のメータ照明構造で、液晶表示装置のケース部材の構成を説明する正面図である。
【図９】この発明の実施の形態のメータ照明構造で、液晶表示装置のケース部材の構成を説明する右側面図である。
【図１０】従来例のメータ照明構造で、透明カバー部材を外して、一部省略したコンビネーションメータの構成を説明する正面図である。
【発明を実施するための形態】
【００３０】
次に、図面に基づいて、この発明を実施するための実施の形態のメータ照明構造について、図１乃至図９を用いて説明する。
【００３１】
まず、構成から説明すると、この実施の形態のメータ照明構造では、図６に示すように自動車８の乗員室８ａ内で、運転席８ｂ前方に位置するインストルメントパネル９には、このメータ照明構造が適用される車両用表示装置としてのコンビネーションメータ１０が設けられている。
【００３２】
このコンビネーションメータ１０は、図２に示すように、略箱形形状を呈して、乗員室８ａ内の運転席８ｂ方向の対向面に、文字板開口部５ａが、凹設されたメータハウジング５と、このメータハウジング５内に収納されるアナログメータとしてのスピードメータ１２及びタコメータ１３と、各種車両情報を表示する液晶表示面部１１ａを有する液晶表示装置１１と、これらのスピードメータ１２及びタコメータ１３の前面部に位置して、図１に示すように、文字板開口部５ａを閉塞し、前記表示面の一部を構成する文字板部としての板状ダイヤル部材１４及び目盛付成型ダイヤル部材１５とを有して構成されている。
【００３３】
このうち、前記メータハウジング５の内部には、図３に示すように、バックライト光源としての複数のＬＥＤ１７…が設けられた回路基板１６が敷設されて、前記板状ダイヤル部材１４及び目盛付成型ダイヤル部材１５とが、裏面側からこれらのＬＥＤ１７…の照明光によって、バックライト照明されるように構成されている。
【００３４】
また、前記液晶表示装置１１は、図１に示すように、これらのスピードメータ１２及びタコメータ１３の間に隣接配置されていて、前記液晶表示面部１１ａが、前記板状ダイヤル部材１４の車幅方向略中央部に開口形成される液晶用開口部１４ａ及び、文字板部の一部としての目盛付成型ダイヤル部材１５に一体形成された一対の環状リング部１５ｂ，１５ｃ間には、リング間開口部１５ａが設けられている。
【００３５】
そして、これらの液晶用開口部１４ａ及びリング間開口部１５ａを介して、車室内方向から、この液晶表示面部１１ａに表示された各種車両情報が、視認可能となるように設けられている。
【００３６】
この液晶表示面部１１ａの周囲には、ＬＣＤアッパケース１８及びこのＬＣＤアッパケース１８と嵌合されるＬＣＤロアケース１９とを有して、これらのＬＣＤアッパケース１８及びＬＣＤロアケース１９に、前記液晶表示面部１１ａ，ＬＣＤガラス部材１１ｂ等を内接させて収容する樹脂製のＬＣＤケース部材２０が設けられている。
【００３７】
このうち、前記ＬＣＤアッパケース１８には、前記液晶用開口部１４ａに対応して、長手方向を車両上下方向に沿わせた略長方形の窓部１８ａが開口形成されていて、略車幅方向のケース外側縁部１８ｂ，１８ｃには、図３に示すように、前記板状ダイヤル部材１４の液晶用開口部１４ａの周囲に形成された無印刷部分である透光周縁部１４ｂと、前記環状リング部１５ｂ，１５ｃの一部である液晶側周縁部１５ｄ，１５ｅとが、重複するように、車室内方向から装着されている。
【００３８】
尚、図４では、理解の容易化の為、前記板状ダイヤル部材１４の透光周縁部１４ｂの記載が省略されている。
【００３９】
この実施の形態の前記ＬＣＤアッパケース１８では、図７及び図８に示すように、ケース外側縁部１８ｂに、角部を切り欠いた形状を呈する照明光通過部としての長尺スリット２１が、側辺延設方向に長手方向を沿わせて、液晶表示面部１１ａの面内外方向及び車幅方向に跨って、断面略Ｌ字状を呈するように貫通されて、開口形成されている。
【００４０】
この実施の形態では、前記長尺スリット２１の開口空間によって分離された形状を呈する前記ケース外側縁部１８ｂの上，下枠体１８ｄ，１８ｅ部分間が、連設枠部１８ｆによって一体となるように連結されている。
【００４１】
また、図８及び図９に示すように、前記ＬＣＤアッパケース１８のケース外側縁部１８ｂに、角部を切り欠いた形状を呈する照明光通過部としての短尺スリット２２…が、側辺延設方向に長手方向を沿わせて、液晶表示面部１１ａの面内外方向及び車幅方向に跨って、断面略Ｌ字状を呈するように貫通されて、開口形成されている。
【００４２】
この実施の形態では、前記短尺スリット２２…の複数の開口空間によって分離された形状を呈する前記ケース外側縁部１８ｃの上，下枠体１８ｇ，１８ｈ部分間が、連設枠部１８ｉによって一体となるように連結されている。
【００４３】
また、この連設枠部１８ｆと、ケース外側縁部１８ｃの残存部分との間には、車幅方向に沿って、複数の補強リブ部１８ｊ…が、車両上下方向で所定間隔を置いて一体に形成されている。
【００４４】
更に、この実施の形態では、前記各環状リング部１５ｂ，１５ｃには、径方向の最外周縁に不透光部分としての金属調装飾印刷によって、これらのスピードメータ１２及びタコメータ１３の輪郭を外観上概略規定する輪帯部２３，２３が各々形成されている。
【００４５】
そして、前記連設枠部１８ｆ，１８ｉの上に、前記環状リング部１５ｂ，１５ｃの不透光部分であるこれらの輪帯部２３，２３が、コンビネーションメータ１０の正面視で、重複するように、前記液晶表示装置１１に、前記スピードメータ１２及びタコメータ１３とが組み合わせられて、目盛部の外周部がバックライト照明されない部分に重ねられている。
【００４６】
また、図４に示すように、前記環状リング部１５ｂの液晶側周縁部１５ｄには、前記長尺スリット２１の開口位置に対応して、裏面側から前記ＬＥＤ１７の照明光が、照光されると共に、前記車室内方向へ一部若しくは全部の照明光が透過可能となるように、複数の透光性指標部としての小目盛１５ｆ…及び大目盛１５ｉを周方向に均等に設けて、レブリミットを示す目盛部としてのレッドゾーン目盛部１５ｈが設けられている。
【００４７】
更に、前記環状リング部１５ｃの液晶側周縁部１５ｅには、前記短尺スリット２２…の開口位置に対応して、裏面側から前記ＬＥＤ１７の照明光が、照光されると共に、前記車室内方向へ、一部若しくは全部の照明光が透過可能となるように、複数の大目盛１５ｉ…，中目盛１５ｊ及び小目盛１５ｇ…が、周方向に均等に設けられた目盛部としての速度表示目盛部１５ｋが設けられている。
【００４８】
これらのレッドゾーン目盛部１５ｈ及び速度表示目盛部１５ｋの外縁部を結ぶ円弧状の仮想ライン２３ａ，２３ａに、前記長尺スリット２１及び短尺スリット２２…の開口内側縁位置が、近接配置されている。
【００４９】
この実施の形態では、図４に示すように、目盛部外縁部を円弧状に結ぶ仮想ライン２３ａ，２３ａは、前記各輪帯部２３，２３の内周縁と一致している。
【００５０】
しかも、図４に示すように、この仮想ライン２３ａ，２３ａの円弧の頭頂部が、前記窓部１８ａの内側縁と車体側方向で一致されるように構成されている。
【００５１】
このため、円弧状の仮想線で結ばれる目盛部の外周部が、前記連設枠部１８ｆ，１８ｉの上に大部分、重複するように配置されている。
【００５２】
また、これらの各大目盛１５ｉ…，中目盛１５ｊ及び小目盛１５ｇ…は、前記補強リブ部１８ｊ，１８ｊ間に位置することにより、前記ＬＥＤ１７の照明光が照射されるように配置されている。
【００５３】
この実施の形態のスピードメータ１２では、図４に示すように、複数の大目盛１５ｉ…，中目盛１５ｊ及び小目盛１５ｇ…が、同一図面内に記載されているが、速度を時速（ｋｍ／ｈ）によって表示される場合と、マイル／ｈによって表示される場合とによって、適宜使い分けられる。
【００５４】
次に、この実施の形態のメータ照明構造の作用効果について説明する。
【００５５】
このように構成された実施の形態のメータ照明構造では、前記各スピードメータ１２及びタコメータ１３の板状ダイヤル部材１４の裏面側から、前記ＬＥＤ１７，１７の点灯により照明光が、前記液晶表示装置１１のケース外側縁部１８ｂ，１８ｃのうち、車幅方向の角部に向けて照射される。
【００５６】
これらの角部を切り欠くような形状を呈して形成された長尺スリット２１及び短尺スリット２２…を、前記各ＬＥＤ１７，１７の照明光が通過する。
【００５７】
この長尺スリット２１及び短尺スリット２２…を通過した前記ＬＥＤ１７，１７による照明光は、前記板状ダイヤル部材１４の透光周縁部１４ｂ，１４ｂを通過して、前記目盛付成型ダイヤル部材１５の各環状リング部１５ｂ，１５ｃのうち、前記ケース外側縁部１８ｂ，１８ｃに重複されている部分を裏面側から照明する。
【００５８】
従って、前記環状リング部１５ｂ，１５ｃは、他の部分と略同様に、明るくバックライト照明されて、周囲との照明ムラを緩和させることができる。
【００５９】
このように、この発明の実施の形態に記載されたコンビネーションメータ１０のメータ照明構造では、図１及び図４に示されるように、前記環状リング部１５ｂ，１５ｃを、前記ケース外側縁部１８ｂ，１８ｃに重複させることが出来るので、前記スピードメータ１２及びタコメータ１３の表示に用いられる文字板部の表示部分と、液晶表示装置１１の表示に用いられる液晶表示面部１１ａとを近接させることができる。
【００６０】
このため、図１に示すコンビネーションメータ１０の限られた表示面内で、文字板部の表示可能面積を拡大することが出来、表示面積を有効に利用出来ると共に、レイアウトの自由度を拡大することが出来る。
【００６１】
また、均等なバックライト照明を得て、外観品質を向上させることが出来る。
【００６２】
すなわち、前記連設枠部１８ｆ，１８ｉによって、前記ＬＥＤ１７，１７から前記ケース外側縁部１８ｂ，１８ｃの角部に到達した照明光が、一部遮られても、前記スピードメータ１２及びタコメータ１３の環状リング部１５ｂ，１５ｃに設けられた輪帯部２３，２３に、陰が重複して、照明ムラを発生させない。
【００６３】
しかも、図４に示す前記コンビネーションメータ１０の表示部内では、前記ケース外側縁部１８ｂ，１８ｃに各々形成された連設枠部１８ｆ，１８ｉの上から、前記環状リング部１５ｂ，１５ｃの輪帯部２３，２３が、車幅方向で重複するように重ねられて、前記液晶表示装置１１に、各スピードメータ１２及びタコメータ１３が組み合わせられる。
【００６４】
このため、各スピードメータ１２及びタコメータ１３の対向する各目盛部外縁部を円弧状に結ぶ仮想ライン２３ａ，２３ａの頭頂部間を、車幅方向に近接配置しても、そもそも、表示面として利用出来ないケース外側縁部１８ｂ，１８ｃ上を、発光する前記レッドゾーン目盛部１５ｈ及び速度表示目盛部１５ｋとして、有効利用出来、限られたコンビネーションメータ１０の表示部の表示面積を、効率的に利用出来る。
【００６５】
更に、この実施の形態では、前記環状リング部１５ｂに形成されて、複数の小目盛１５ｆ…を配列したレッドゾーン目盛部１５ｈの延設方向に沿って、前記長尺スリット２１が、連続されて形成されている。
【００６６】
このため、均等に形成されレッドゾーン目盛部１５ｈの複数の小目盛１５ｆが、小さな間隔を置いて配列されていても、均一な光量で、バックライト照明される。
【００６７】
従って、前記環状リング部１５ｂの周方向に照明ムラが発生することなく、良好な外観品質を得られる。
【実施例１】
【００６８】
図５は、この発明の実施の形態の実施例１のメータ照明構造が適用されたコンビネーションメータ３０を示すものである。
【００６９】
なお、前記実施の形態と同一乃至均等な部分については、同一符号を付して説明する。
【００７０】
まず、構成上の相違点を中心に説明すると、この実施例１のコンビネーションメータ３０では、実施の形態の環状リング部１５ｂに相当する環状リング部３１には、複数の大目盛１５ｉ…等から構成される目盛部１５ｌが設けられた傾斜面部３２の裏面側３３に凹凸形状としてのシボ部３４が、形成されている。
【００７１】
次に、この実施例１のメータ照明構造の作用効果について説明する。
【００７２】
このように構成された実施例１のコンビネーションメータ３０では、前記実施の形態のメータ照明構造の作用効果に加えて、更に、目盛部１５ｌが設けられた傾斜面部３２の裏面側３３に形成されたシボ部３４が、前記ＬＥＤ１７の照明光を散乱させて、拡散により、更に均等なバックライト照明光とする。
【００７３】
しかも、この実施例１では、前記長尺スリット２１によって緩和された照明ムラが更に、このシボ部３４で散乱して、拡散により、光量差を減少させることが出来、目立ちやすい環状リング部３１の外観品質を良好なものとすることが出来る。
【００７４】
他の構成及び作用効果については、前記実施の形態のメータ照明構造と同一乃至均等であるので、説明を省略する。
【００７５】
以上、図面を参照して、本発明の実施の形態及び実施例１のメータ照明構造を詳述してきたが、具体的な構成は、この実施の形態及び実施例１のコンビネーションメータ１０，３０に限らず、本発明の要旨を逸脱しない程度の設計的変更は、本発明に含まれる。
【００７６】
例えば、前記実施の形態では、前記表示面の一部を構成する文字板部として、板状ダイヤル部材１４及び目盛付成型ダイヤル部材１５とを個別に設けて組み合わせているが、特にこれに限らず、板状の文字板に、装飾リング部が、一体に形成されている等、表示面の形状、メータ及び警告灯等の数量、材質及び色彩が、特に限定されるものではない。
【符号の説明】
【００７７】
１０，３０      コンビネーションメータ（車両用表示装置）
１１            液晶表示装置
１１a            液晶表示面部
１２            スピードメータ（アナログメータの一つ）
１３            タコメータ（アナログメータの一つ）
１４            板状ダイヤル部材（文字板部の一部）
１５            目盛付成型ダイヤル部材（文字板部の一部）
１５ｌ          目盛部
１７            ＬＥＤ（光源）
１８ｂ，１８ｃ  ケース外側縁部
１８ｄ，１８ｅ，１８ｇ，１８ｈ  上，下枠体（部分）
１８ｆ，１８ｉ  連設枠部
２１            長尺スリット（照明光通過部）
２２            短尺スリット（照明光通過部）
２３，２３      輪帯部（不透光部）
２３ａ，２３ａ  仮想ライン
３４            シボ部（凹凸形状）
【図１】
0005431121.tif 000002
【図２】
0005431121.tif 000003
【図３】
0005431121.tif 000004
【図４】
0005431121.tif 000005
【図５】
0005431121.tif 000006
【図６】
0005431121.tif 000007
【図７】
0005431121.tif 000008
【図８】
0005431121.tif 000009
【図９】
0005431121.tif 000010
【図１０】
0005431121.tif 000011